(57)【要約】【課題】作業者の指等の接触による不要な変形を抑制し、かつ接続対象物との接続信頼性を確保することができる電気接続用端子及びこれを備えたコネクタを提供する。【解決手段】第１当接片部２２Ｃに設けられた第１接触部２２Ａの先端部に係止部２２Ｇが設けられると共に、第２当接片部２２Ｄに当該係止部２２Ｇを係止可能な被係止部２２Ｈが設けられている。このため、第１接触部２２Ａに作業者の指等が接触して第１当接片部２２Ｃが変形しようとしても、係止部２２Ｇが被係止部２２Ｈに係止されることで、第１接触部２２Ａと第２当接片部２２Ｄとの相対変位が規制され、その結果、作業者の指等の接触によって第１当接片部２２Ｃが変形することを抑制することができる。【選択図】図１
2019091593.tif 000002
【特許請求の範囲】
【請求項１】
取付対象物に固定される固定部と、
弾性変形可能とされ、板状の接続対象物に接触されて当該接続対象物と導通可能とされた導通部と、
前記固定部と前記導通部とを当該導通部に導通接続された前記接続対象物の板厚方向から見て第１の方向一方側で繋ぐと共に弾性変形可能とされた弾性変形部と、
を有し、
前記導通部は、前記板厚方向から見て前記弾性変形部から前記第１の方向他方側に延びると共に当該第１の方向他方側の先端側に前記接続対象物における当該導通部との接触面に接触可能な第１接触部が設けられた第１当接片部と、当該板厚方向から見て当該弾性変形部から当該第１の方向他方側に延びると共に当該第１の方向他方側の先端側に当該接触面に接触可能な第２接触部が設けられた第２当接片部と、を含んで構成され、
前記第１接触部の先端部には、係止部が設けられており、
前記第２当接片部には、前記係止部を係止可能な被係止部が設けられている、
電気接続用端子。
【請求項２】
前記係止部は、前記被係止部における前記導通部に導通接続された前記接続対象物側の面と反対側の裏面に係止可能とされると共に、
前記係止部には、前記裏面に面接触可能とされた係止面部が設けられている、
請求項１に記載の電気接続用端子。
【請求項３】
請求項１又は請求項２に記載の電気接続用端子を収容可能な収容凹部が設けられた前記取付対象物としてのハウジングを備え、
前記第２当接片部における前記第１の方向他方側の先端側には、前記係止部よりも前記固定部側に配置された引掛け部が設けられていると共に、
前記収容凹部の前記電気接続用端子側に面する側面には、前記引掛け部の前記係止部側への変位を規制する規制部が設けられている、
コネクタ。
【発明の詳細な説明】
【技術分野】
【０００１】
本発明は、電気接続用端子及びこれを備えたコネクタに関する。
【背景技術】
【０００２】
下記特許文献１には、電気接続用端子に関する発明が開示されている。この電気接続用端子は、接続対象物と接触可能な第１の接触部及び第２の接触部を備えており、これらのうちの一方に異物が付着しても他方が接続対象物に導通接続されるようになっている。このため、下記先行技術では、電気接続用端子と接続対象物との接続信頼性を確保することができる。
【先行技術文献】
【特許文献】
【０００３】
【特許文献１】特開２００５−２９３９８９号公報
【発明の概要】
【発明が解決しようとする課題】
【０００４】
ところで、上記先行技術では、第１の接触部や第２の接触部に作業者の指等が接触すると、これらが不要な変形をして接続対象物と導通接続されることが困難となることがある。
【０００５】
本発明は上記事実を考慮し、作業者の指等の接触による不要な変形を抑制し、かつ接続対象物との接続信頼性を確保することができる電気接続用端子及びこれを備えたコネクタを提供することを目的とする。
【課題を解決するための手段】
【０００６】
第一の態様に係る電気接続用端子は、取付対象物に固定される固定部と、弾性変形可能とされ、板状の接続対象物に接触されて当該接続対象物と導通可能とされた導通部と、前記固定部と前記導通部とを当該導通部に導通接続された前記接続対象物の板厚方向から見て第１の方向一方側で繋ぐと共に弾性変形可能とされた弾性変形部と、を有し、前記導通部は、前記板厚方向から見て前記弾性変形部から前記第１の方向他方側に延びると共に当該第１の方向他方側の先端側に前記接続対象物における当該導通部との接触面に接触可能な前記第１接触部が設けられた第１当接片部と、当該板厚方向から見て当該弾性変形部から当該第１の方向他方側に延びると共に当該第１の方向他方側の先端側に当該接触面に接触可能な第２接触部が設けられた第２当接片部と、を含んで構成され、前記第１接触部の先端部には、係止部が設けられており、前記第２当接片部には、前記係止部を係止可能な被係止部が設けられている。
【０００７】
第一の態様に係る電気接続用端子によれば、固定部、導通部及び弾性変形部を備えており、固定部によって取付対象物に固定されている。また、導通部は、弾性変形しつつ板状の接続対象物に接触されて、当該接続対象物と導通されるようになっている。さらに、固定部と導通部とは、当該導通部と導通接続された接続対象物の板厚方向から見て第１の方向一方側において弾性変形部で繋がれており、当該弾性変形部は、導通部の弾性変形に追従して弾性変形することができる。
【０００８】
また、導通部は、接続対象物における導通部との接触面に接触可能な第１接触部が設けられた第１当接片部と、当該接触面に接触可能な第２接触部が設けられた第２当接片部とを含んで構成されている。そして、第１当接片部は、弾性変形部から第１の方向他方側に延びると共に、当該第１の方向他方側の先端側に第１接触部を備えている。一方、第２当接片部は、弾性変形部から第１の方向他方側に延びると共に、当該第１の方向他方側の先端側に第２接触部を備えている。このため、本態様では、第１接触部及び第２接触部のうちの一方に異物が付着しても、他方が接続対象物と導通接続されるようになっている。したがって、本態様では、その板厚方向に移動して接近してくる接続対象物と導通部とを安定した状態で導通接続させることができる。
【０００９】
ところで、第１接触部に作業者の指等が接触すると第１当接片部が不要な変形をして当該第１接触部が接続対象物に接触することが困難となり、導通部と接続対象物との接続信頼性を確保することが困難となることが考えられる。
【００１０】
ここで、本態様では、第１接触部の先端部に係止部が設けられると共に、第２当接片部に当該係止部を係止可能な被係止部が設けられている。このため、第１接触部に作業者の指等が接触することによって、第１当接片部は、係止部が被係止部に係止されるまで第２当接片部に対して独立して弾性変形するものの、係止部が被係止部に係止されることで、第１接触部の第２当接片部に対する相対変位が規制され、その結果、作業者の指等の接触によって第１当接片部が不要な変形をすることを抑制することができる。
【００１１】
第二の態様に係る電気接続用端子は、第一の態様において、前記係止部は、前記被係止部における前記導通部に導通接続された前記接続対象物側の面と反対側の裏面に係止可能とされると共に、前記係止部には、前記裏面に面接触可能とされた係止面部が設けられている。
【００１２】
第二の態様に係る電気接続用端子によれば、係止部が被係止部における導通部に導通接続された接続対象物側の面と反対側の裏面に係止可能とされている。このため、接続対象物が被係止部に当接するまで導通部が弾性変形しても、係止部が接続対象物に対する障害となることを抑制することができる。
【００１３】
また、本態様では、係止部に被係止部の裏面に面接触可能とされた係止面部が設けられており、係止部と被係止部とが点接触や線接触する構成と比し、係止部を安定した状態で被係止部に係止させることができる。
【００１４】
第三の態様に係るコネクタは、第一の態様又は第二の態様の電気接続用端子を収容可能な収容凹部が設けられた前記取付対象物としてのハウジングを備え、前記第２当接片部における前記第１の方向他方側の先端側には、前記係止部よりも前記固定部側に配置された引掛け部が設けられていると共に、前記収容凹部の前記電気接続用端子側に面する側面には、前記引掛け部の前記係止部側への変位を規制する規制部が設けられている。
【００１５】
第三の態様に係るコネクタによれば、収容凹部が設けられたハウジングを備えており、当該収容凹部には、第一の態様又は第二の態様に係る電気接続用端子が収容されている。
【００１６】
ところで、本態様では、上述したように、第１接触部に作業者の指等が接触して第１当接片部が変形しようとしても、係止部が被係止部に係止されることで、第１当接片部の変形を抑制することができるものの、第１当接片部を介して第２当接片部に伝わる当該接触による力が大きい場合には、第２当接片部が不要な変形をすることが考えられる。
【００１７】
ここで、本態様では、第２当接片部における第１の方向他方側の先端側に係止部よりも固定部側に配置された引掛け部が設けられていると共に、収容凹部の電気接続用端子側に面する側面に引掛け部の係止部側への変位を規制する規制部が設けられている。このため、第１当接片部から第２当接片部に伝わる力が大きい場合であっても、引掛け部の係止部側への変位が規制部によって規制され、第２当接片部の不要な変形を抑制することができる。
【発明の効果】
【００１８】
以上説明したように、本発明に係る電気接続用端子及びこれを備えたコネクタは、作業者の指等の接触による不要な変形を抑制し、かつ接続対象物との接続信頼性を確保することができるという優れた効果を有する。
【図面の簡単な説明】
【００１９】
【図１】本実施形態に係る電気接続用端子の構成を示す斜視図である。
【図２】本実施形態に係る電気接続用端子の構成を示す平面図（図２の２方向矢視図）である。
【図３】本実施形態に係る電気接続用端子の構成を示すコネクタ下方側から見た斜視図（図１の３方向矢視図）である。
【図４】本実施形態に係る電気接続用端子の構成を示す断面図（図２の４−４線に沿って切断した状態を示す断面）である。
【図５】本実施形態に係るコネクタの構成を示す断面図（図６の５−５線に沿って切断した状態を示す断面）である。
【図６】本実施形態に係るコネクタの構成を示す斜視図である。
【発明を実施するための形態】
【００２０】
以下、図１〜図６を用いて、本発明に係る「電気接続用端子１０」（以下、端子１０と称する）並びに端子１０を備えた「コネクタ１２」の実施形態の一例について説明する。なお、各図に適宜示される矢印Ｘはコネクタ前方側を示しており、矢印Ｙはコネクタ幅方向一方側（左側）を示しており、矢印Ｚはコネクタ上方側を示している。なお、これらの方向は説明の便宜上用いられるものであり、実装時等におけるコネクタ１２の姿勢を絶対的に規定するものではない。
【００２１】
図５及び図６に示されるように、コネクタ１２は、一例として、４つの端子１０と、これらが取り付けられた取付対象物としての樹脂製の「ハウジング１４」とを備えたコンプレッションコネクタとされている。ハウジング１４は、コネクタ幅方向及びコネクタ前後方向に延在する板状のベース部１４Ａと、当該ベース部１４Ａからコネクタ上方側に突出されると共に外形が直方体状とされた本体部１４Ｂとを含んで構成されている。そして、本体部１４Ｂには、それぞれ端子１０が納まると共に隔壁部１４Ｂ１で仕切られた「収容凹部１６」がコネクタ幅方向に４つ設けられており、当該収容凹部１６は、コネクタ上方側及びコネクタ前方側に開放されている。なお、収容凹部１６の底面１６Ａは、ベース部１４Ａの上面によって構成されている。
【００２２】
また、ベース部１４Ａのコネクタ下方側の下面には、二つの突起部１４Ｃが設けられており、図５にも示されるように、基板１８に設けられた図示しない貫通部に突起部１４Ｃが嵌合されることで、コネクタ１２は基板１８に仮止めされている。
【００２３】
一方、端子１０は、ハウジング１４に固定される「固定部２０」と、「導通部２２」と、当該固定部２０と当該導通部２２とを繋ぐ「弾性変形部２４」とを含んで構成されている。なお、端子１０は、弾性変形可能でかつ板厚が一定とされた金属製の板材が打ち抜き加工された後に曲げ加工されることで形成されている。
【００２４】
ここで、本実施形態では、端子１０における導通部２２の構成に大きな特徴がある。以下、導通部２２の構成を中心に、本実施形態の要部を構成する端子１０の構成について詳細に説明することとする。
【００２５】
図１に示されるように、固定部２０は、板厚方向をコネクタ上下方向とされてコネクタ前後方向に延びる板状とされており、そのコネクタ前後方向に延びる周縁部には、それぞれ複数の係止部２０Ａが設けられている。一方、図５及び図６に示されるように、隔壁部１４Ｂ１、本体部１４Ｂのコネクタ幅方向一方側の部分を構成する側壁部１４Ｂ２及び本体部１４Ｂのコネクタ幅方向他方側の部分を構成する側壁部１４Ｂ３のそれぞれにおける端子１０側の面には、底面１６Ａとの境界部分に溝部２６が形成されている。そして、固定部２０が溝部２６に圧入されて係止部２０Ａが溝部２６に係止されることで端子１０がハウジング１４に固定されている。
【００２６】
また、固定部２０のコネクタ前方側の端部には、コネクタ下方側に延びるリード部２８が設けられており、当該リード部２８は、基板１８に設けられた図示しないスルーホールに挿通されて基板１８に半田付けされている。
【００２７】
弾性変形部２４は、固定部２０のコネクタ後方側の周縁部から延出されてコネクタ前方側に折り返されると共に、コネクタ幅方向から見て、コネクタ後方側に凸となって湾曲した板状とされている。そして、弾性変形部２４のコネクタ前方側の周縁部からは、導通部２２が延出されている。
【００２８】
図１に戻り、導通部２２は、「第１接触部２２Ａ」、「第２接触部２２Ｂ」、「第１当接片部２２Ｃ」、「第２当接片部２２Ｄ」、規制部２２Ｅ、連結部２２Ｆ、「係止部２２Ｇ」、「被係止部２２Ｈ」及び「引掛け部２２Ｉ」を含んで構成されている。そして、導通部２２は、後述するように、接続対象物としての板状の「基板３０」（図５参照）が、その板厚方向をコネクタ上下方向とされた状態でコネクタ上方側から接近してくると、当該基板３０に導通接続されるようになっている。つまり、上述した弾性変形部２４は、固定部２０と導通部２２とを当該導通部２２に導通接続された状態の基板３０の板厚方向から見て、第１の方向一方側（コネクタ後方側）で繋いでいると見なすことができる。
【００２９】
より詳しくは、導通部２２は、その主な部分が、導通部２２に導通接続された状態の基板３０の板厚方向から見て、それぞれ第１の方向他方側（コネクタ前方側）に延びる第１当接片部２２Ｃ及び第２当接片部２２Ｄによって構成されている。第１当接片部２２Ｃは、コネクタ幅方向から見て、弾性変形部２４からコネクタ前方上側に直線状に延びる板状とされている。また、第１当接片部２２Ｃは、弾性変形部２４側の３分の２程度の部分において、その幅（コネクタ幅方向の長さ）が一定とされており、その先端側の部分において、その幅が先端側に向かうに従って縮幅されている。そして、第１当接片部２２Ｃの先端側の周縁部からは、第１接触部２２Ａが延出されている。
【００３０】
図５にも示されるように、第１接触部２２Ａは、コネクタ幅方向から見て、コネクタ上方側に凸となって湾曲する略角柱状とされている。この第１接触部２２Ａにおけるコネクタ上方側の周縁部は、それぞれ当該第１接触部２２Ａの延在方向に沿う面取部とされている。そして、図３に示されるように、第１接触部２２Ａの先端部には、係止部２２Ｇが設けられている。
【００３１】
係止部２２Ｇは、第１接触部２２Ａの先端部と連続しかつその板厚方向を第１接触部２２Ａの板厚方向と同じ方向とされてコネクタ幅方向に延びる板状とされている。つまり、係止部２２Ｇと第１接触部２２Ａとを含む部分は、係止部２２Ｇの板厚方向から見て、Ｔ字状とされている。
【００３２】
一方、第２当接片部２２Ｄは、図１及び図２に示されるように、全体では、コネクタ幅方向から見て、コネクタ後方上側に凸となって緩やかに湾曲しつつ、弾性変形部２４からコネクタ前方上側に延びている。
【００３３】
この第２当接片部２２Ｄは、そのコネクタ幅方向一方側の部分を構成する長辺部２２Ｄ１と、そのコネクタ幅方向他方側の部分を構成する長辺部２２Ｄ２と、そのコネクタ前方側の部分を構成する短辺部２２Ｄ３とを含んで、コネクタ上下方向から見て、第１接触部２２Ａ及び第１当接片部２２Ｃを囲む枠状に構成されている。
【００３４】
より詳しくは、長辺部２２Ｄ１、２２Ｄ２は、コネクタ上下方向から見て、コネクタ前後方向に延びており、短辺部２２Ｄ３は、コネクタ上下方向から見て、長辺部２２Ｄ１と長辺部２２Ｄ２とをコネクタ前方側で繋ぐと共にコネクタ後方側に向かうに従って拡幅されたＵ字状とされている。
【００３５】
また、長辺部２２Ｄ１、２２Ｄ２は、図５にも示されるように、コネクタ幅方向から見て、その弾性変形部２４側の部分が第１当接片部２２Ｃと重なっているものの、コネクタ前方側に向かうに従って第１当接片部２２Ｃに対してコネクタ前方側に離間された状態となっている。換言すれば、長辺部２２Ｄ１、２２Ｄ２及び第１当接片部２２Ｃは、コネクタ幅方向から見て、弾性変形部２４に向かうに従って縮幅されたＶ字状となるように構成されている。そして、長辺部２２Ｄ１、２２Ｄ２には、それぞれ被係止部２２Ｈが設けられている。
【００３６】
被係止部２２Ｈは、長辺部２２Ｄ１、２２Ｄ２における第１当接片部２２Ｃ側の周縁部に沿って設けられており、第２当接片部２２Ｄの板厚方向から見て、短辺部２２Ｄ３側の部分のコネクタ幅方向の幅が一定とされていると共に、弾性変形部２４側の部分のコネクタ幅方向の幅が弾性変形部２４に向かうに従って縮幅された台形の板状とされている。なお、被係止部２２Ｈの「上面２２Ｈ１」は、導通部２２に導通接続された状態の基板３０側に面するようになっている。
【００３７】
また、図３及び図４に示されるように、係止部２２Ｇは、第１当接片部２２Ｃの自然状態において、被係止部２２Ｈにおける上面２２Ｈ１と反対側の「裏面２２Ｈ２」と所定の間隔をあけられた状態とされている。なお、裏面２２Ｈ２は、第２当接片部２２Ｄの裏面と連続している。そして、係止部２２Ｇは、第１当接片部２２Ｃがコネクタ上方側に所定量弾性変形すると、被係止部２２Ｈの裏面２２Ｈ２に係止されるようになっている。
【００３８】
また、図４に示されるように、係止部２２Ｇにおけるコネクタ後方上側の周縁部は面取りされて「係止面部２２Ｇ１」が設けられており、係止部２２Ｇと被係止部２２Ｈの裏面２２Ｈ２とは面接触するようになっている。
【００３９】
一方、規制部２２Ｅは、図５に示されるように、導通部２２の先端部を構成しており、コネクタ前後方向を板厚方向とされてコネクタ上下方向に延びる板状の縦板部２２Ｅ１と、当該縦板部２２Ｅ１のコネクタ下方側の周縁部からコネクタ上下方向を板厚方向とされてコネクタ後方側に延びる板状の下板部２２Ｅ２とを含んで構成されている。この規制部２２Ｅは、後述するように、固定部２０に当接されることで導通部２２の弾性変形を規制可能とされている。そして、図２にも示されるように、下板部２２Ｅ２には、「引掛け部２２Ｉ」が設けられている。
【００４０】
引掛け部２２Ｉは、下板部２２Ｅ２のコネクタ幅方向一方側の端部及びコネクタ幅方向他方側の端部にそれぞれ設けられており、当該引掛け部２２Ｉは、係止部２２Ｇよりも固定部２０側に配置されている（図３参照）。この引掛け部２２Ｉは、コネクタ上下方向から見て、その主な部分のコネクタコネクタ幅方向の幅が一定とされていると共に、弾性変形部２４側の部分のコネクタ幅方向の幅が弾性変形部２４に向かうに従って縮幅された台形の板状とされている。
【００４１】
一方、収容凹部１６の端子１０に面する「側面１６Ｂ」には、それぞれコネクタ幅方向に凹んだ凹部３２が設けられている。そして、コネクタ１２がハウジング１４に圧入された状態において、引掛け部２２Ｉは、凹部３２のコネクタ上方側の「縁部３２Ａ」に係止された状態とされており、規制部２２Ｅのコネクタ上方側への変位が規制されるようになっている。つまり、凹部３２の縁部３２Ａは、引掛け部２２Ｉの係止部２２側への変位を規制する規制部として機能している。
【００４２】
連結部２２Ｆは、図１及び図２に示されるように、規制部２２Ｅのコネクタ上方側の周縁部と第２当接片部２２Ｄのコネクタ上方側を繋ぐと共に、コネクタ上方前側に凸となって湾曲された板状とされている。そして、連結部２２Ｆの上面２２Ｆ１には、当該上面２２Ｆ１に沿って第２接触部２２Ｂが設けられている。
【００４３】
第２接触部２２Ｂは、図５にも示されるように、連結部２２Ｆの上面２２Ｆ１から突出されると共にコネクタ上下方向から見てコネクタ前後方向に延びる突起部とされており、その延在方向から見た断面形状は、そのコネクタ上方側の外周部が連結部２２Ｆ側に開放されたＵ字状とされた略矩形状とされている。この第２接触部２２Ｂは、コネクタ上下方向（基板３０の板厚方向）から見て、上述した第１接触部２２Ａを通りかつコネクタ前後方向に延びる直線Ｌ上に位置している。なお、第２接触部２２Ｂは、第２当接片部２２Ｄの短辺部２２Ｄ３にもその一部が設けられている。
【００４４】
上記のように構成された導通部２２では、当該導通部２２に基板３０が、その板厚方向をコネクタ上下方向とされた状態で接近してくると、まず、基板３０が第２接触部２２Ｂに接触し、第２当接片部２２Ｄが基板３０に押圧されて弾性変形するようになっている。そして、基板３０がさらにコネクタ下方側に変位すると、基板３０が第１接触部２２Ａに接触し、第１当接片部２２Ｃが基板３０に基板３０に押圧されて弾性変形するようになっている。つまり、導通部２２は、第１接触部２２Ａ及び第２接触部２２Ｂの少なくとも２箇所で基板３０の「接触面３０Ａ」に接触するようになっている。
【００４５】
また、導通部２２の弾性変形量が所定量を超えると、規制部２２Ｅの下板部２２Ｅ２が、固定部２０に当接されることで、導通部２２の弾性変形が規制されるようになっている。さらに、導通部２２並びに端子１０全体は、コネクタ上下方向から見て、直線Ｌの延在方向が長手方向となるように構成されている。
【００４６】
（本実施形態の作用及び効果）
次に、本実施形態の作用及び効果を説明する。
【００４７】
本実施形態では、図１に示されるように、端子１０が、固定部２０、導通部２２及び弾性変形部２４を備えており、固定部２０によってハウジング１４に固定されている。また、導通部２２は、弾性変形しつつ板状の基板３０に接触されて、当該基板３０と導通されるようになっている。さらに、固定部２０と導通部２２とは、当該導通部２２と導通接続された基板３０の板厚方向から見て第１の方向一方側において弾性変形部２４で繋がれており、当該弾性変形部２４は、導通部２２の弾性変形に追従して弾性変形することができる。
【００４８】
また、導通部２２は、基板３０の接触面３０Ａに接触可能な第１接触部２２Ａが設けられた第１当接片部２２Ｃと、当該接触面３０Ａに接触可能な第２接触部２２Ｂが設けられた第２当接片部２２Ｄとを含んで構成されている。そして、第１当接片部２２Ｃは、弾性変形部２４から第１の方向他方側に延びると共に、当該第１の方向他方側の先端側に第１接触部２２Ａを備えている。一方、第２当接片部２２Ｄは、弾性変形部２４から第１の方向他方側に延びると共に、当該第１の方向他方側の先端側に第２接触部２２Ｂを備えている。このため、本実施形態では、第１接触部２２Ａ及び第２接触部２２Ｂのうちの一方に異物が付着しても、他方が基板３０と導通接続されるようになっている。したがって、本実施形態では、その板厚方向に移動して接近してくる基板３０と導通部２２とを安定した状態で導通接続させることができる。
【００４９】
ところで、第１接触部２２Ａに作業者の指等が接触すると第１当接片部２２Ｃが不要な変形をして当該第１接触部２２Ａが基板３０に接触することが困難となり、導通部２２と基板３０との接続信頼性を確保することが困難となることが考えられる。
【００５０】
ここで、本実施形態では、第１接触部２２Ａの先端部に係止部２２Ｇが設けられると共に、第２当接片部２２Ｄに当該係止部２２Ｇを係止可能な被係止部２２Ｈが設けられている。このため、第１接触部２２Ａに作業者の指等が接触することによって、第１当接片部２２Ｃは、係止部２２Ｇが被係止部２２Ｈに係止されるまで第２当接片部２２Ｄに対して独立して弾性変形するものの、係止部２２Ｇが被係止部２２Ｈに係止されることで、第１接触部２２Ａの第２当接片部２２Ｄに対する相対変位が規制され、その結果、作業者の指等の接触によって第１当接片部２２Ｃが不要な変形をすることを抑制することができる。
【００５１】
また、係止部２２Ｇは、被係止部２２Ｈにおける導通部２２に導通接続された基板３０側の上面２２Ｈ１とは反対側の裏面２２Ｈ２に係止可能とされている。このため、基板３０が被係止部２２Ｈに当接するまで導通部２２が弾性変形しても、係止部２２Ｇが基板３０に対する障害となることを抑制することができる。
【００５２】
また、本実施形態では、係止部２２Ｇに被係止部２２Ｈの裏面２２Ｈ２に面接触可能とされた係止面部２２Ｇ１が設けられており、係止部２２Ｇと被係止部２２Ｈとが点接触や線接触する構成と比し、係止部２２Ｇを安定した状態で被係止部２２Ｈに係止させることができる。
【００５３】
さらに、本実施形態では、収容凹部１６が設けられたハウジング１４を備えており、当該収容凹部１６に端子１０が収容されている。
【００５４】
ところで、本実施形態では、上述したように、第１接触部２２Ａに作業者の指等が接触して第１当接片部２２Ｃが変形しようとしても、係止部２２Ｇが被係止部２２Ｈに係止されることで、第１当接片部２２Ｃの変形を抑制することができるものの、第１当接片部２２Ｃを介して第２当接片部２２Ｄに伝わる当該接触による力が大きい場合には、第２当接片部２２Ｄが不要な変形をすることが考えられる。
【００５５】
ここで、本実施形態では、第２当接片部２２Ｄにおける第１の方向他方側の先端側に係止部２２Ｇよりも固定部２０側に配置された引掛け部２２Ｉが設けられている。一方、収容凹部１６の端子１０側に面する側面１６Ｂには、引掛け部２２Ｉの係止部２２Ｇ側への変位を規制する凹部３２の縁部３２Ａが設けられている。このため、第１当接片部２２Ｃから第２当接片部２２Ｄに伝わる力が大きい場合であっても、引掛け部２２Ｉの係止部２２Ｇ側への変位が縁部３２Ａによって規制され、第２当接片部２２Ｄの不要な変形を抑制することができる。
【００５６】
以上説明したように、本実施形態に係る端子１０及びこれを備えたコネクタ１２は、作業者の指等の接触による不要な変形を抑制し、かつ基板３０との接続信頼性を確保することができる。
【００５７】
また、端子１０は、第１接触部２２Ａ及び第２接触部２２Ｂを通る直線Ｌを長手方向とされて構成されている。このため、基板３０の接点パターンが直線Ｌに沿うように端子１０と基板３０との位置関係を調整することで、コネクタ１２の直線Ｌと直交する方向の寸法を小さくすることができる。
【００５８】
＜上記実施形態の補足説明＞
（１）  上述した実施形態では、係止部２２Ｇが被係止部２２Ｈの裏面２２Ｈ２に係止されるようになっていたが、これに限らず、第２当接片部２２Ｄ及び被係止部２２Ｈを基板３０に摺接されない構成として、被係止部２２Ｈの上面に係止部２２Ｇを係止するようにしてもよい。
【００５９】
（２）  また、上述した実施形態では、電気接続用端子１０がハウジング１４に取り付けられていたが、これに限らず、電気接続用端子１０が直接基板１８に取り付けられていてもよい。例えば、電気接続用端子１０にリード部２８を設けない構成とすると共に、基板１８にランドを設けて当該ランドに固定部２０が固定されるようにしてもよい。
【００６０】
（３）  さらに、上述した実施形態では、端子１０に規制部２２Ｅ及び引掛け部２２Ｉが設けられていたが、端子１０は、これらを備えていない構成とされていてもよい。
【符号の説明】
【００６１】
１０      電気接続用端子
１２      コネクタ
１４      ハウジング（取付対象物）
１６      収容凹部
１６Ｂ    側面（電気接続用端子側に面する側面）
２０      固定部
２２      導通部
２２Ａ    第１接触部
２２Ｂ    第２接触部
２２Ｃ    第１当接片部
２２Ｄ    第２当接片部
２２Ｇ    係止部
２２Ｇ１  係止面部
２２Ｈ    被係止部
２２Ｈ１  上面（接続対象物側の面）
２２Ｈ２  裏面
２２Ｉ    引掛け部
２４      弾性変形部
３０      基板（接続対象物）
３０Ａ    接触面
３２Ａ    縁部（規制部）
【図１】
2019091593.tif 000003
【図２】
2019091593.tif 000004
【図３】
2019091593.tif 000005
【図４】
2019091593.tif 000006
【図５】
2019091593.tif 000007
【図６】
2019091593.tif 000008